(57)【要約】【課題】多様な変形が可能であり、気楽に、遊びの感覚で身に付けることができ、しかも安価なネックストラップを提供する。【解決手段】首廻りにかけられるループ部と、被吊下げ物が保持される保持部とからなるネックストラップであり、前記ループ部は軟質プラスチックの中空管状物で、かつ前記中空管状物の中空部にはプロピレングリコール、グリセリン、水から選ばれる一種以上であり、これに色素、特に好ましくは食品添加物として認められた色素を用いて着色した液体が封入され、さらに、前記液体には、ラメ、砂、貝殻、珊瑚、プラスチック成形物の固形物を浮遊させてなっている。中空管状物は、断面が円形のチューブ、帯状シートの長さ方向の端部同士を接着して、あるいは帯状シートを二枚合わせ、長さ方向の両端部を接着してなることができる。【選択図】　　　　　図２
0003097733.tif 000002
【実用新案登録請求の範囲】
【請求項１】
首廻りにかけられるループ部と、被吊下げ物が保持される保持部とからなるネックストラップにおいて、前記ループ部は軟質プラスチックの中空管状物で、かつ前記中空管状物の中空部には液体が封入されてなることを特徴とするネックストラップ。
【請求項２】
前記液体は、プロピレングリコール、グリセリン、水から選ばれる一種以上であることを特徴とする請求項１に記載のネックストラップ。
【請求項３】
前記液体は、色素で着色されていることを特徴とする請求項１または２記載のネックストラップ。
【請求項４】
前記色素は、食品添加物として認められた色素であることを特徴とする請求項３に記載のネックストラップ。
【請求項５】
前記液体には、固形物を浮遊させることを特徴とする請求項１ないし３いずれか１項に記載のネックストラップ。
【請求項６】
前記固形物は、ラメ、砂、貝殻、珊瑚、プラスチック成形物から選ばれる１種以上であることを特徴とする請求項５に記載のネックストラップ。
【請求項７】
前記中空管状物は、断面が円形のチューブであることを特徴とする請求項１に記載のネックストラップ。
【請求項８】
前記中空管状物は、帯状シートの長さ方向の端部同士を接着してなることを特徴とする請求項１に記載のネックストラップ。
【請求項９】
前記中空管状物は、帯状シートを二枚合わせ、長さ方向の両端部をそれぞれ接着してなることを特徴とする請求項１に記載のネックストラップ。
【考案の詳細な説明】
【０００１】
【考案の属する技術分野】
本考案は、首廻りにかけて小物を吊下げるネックストラップ、特に個性的で、かつ気楽に使用できるネックストラップに関する。
【０００２】
【従来の技術】
近年、仕事中にはＩＤカード、パスカードなど首廻りに吊下げ、さらに遊びの時間においては携帯電話、鍵、マスコットな各種の小物を首廻りに吊下げることが多くなってきた。このような小物を吊下げるネックストラップは、布製の紐、金属製の鎖などが一般的であるが、特に遊びの時間においては、他人とは違うもの、目立つもの、他人の目をひくものなど画一化されたデザインでなく、個性化を求めるようになってきた。
【０００３】
【考案が解決しようとする課題】
かかる要望に応えるべく本考案の目的は、多様な変形が可能であり、気楽に、遊びの感覚で身に付けることができ、しかも安価に製造できるネックストラップを提供することにある。
【０００４】
【課題を解決するための手段】
上記目的を達成するために本考案におけるネックストラップは、首廻りにかけられるループ部と、被吊下げ物が保持される保持部とからなるネックストラップであり、前記ループ部は軟質プラスチックの中空管状物で、かつ前記中空管状物の中空部には液体が封入されてなっている。
【０００５】
前記液体は、好ましくはプロピレングリコール、グリセリン、水から選ばれる一種以上であり、これに色素、特に好ましくは食品添加物として認められた色素を用いて着色されている。
さらに、前記液体には、固形物を浮遊させることができ、前記固形物は、ラメ、砂、貝殻、珊瑚、プラスチック成形物から選ばれる１種以上が好ましく選ばれる。
【０００６】
本考案の中空管状物は、断面が円形のチューブ、帯状シートの長さ方向の端部同士を接着して、あるいは帯状シートを二枚合わせ、長さ方向の両端部を接着してなることができる。
【０００７】
【考案の実施の形態】
本考案のネックストラップは、首廻りにかける部分が軟質プラスチックの中空管状物で、中空管状物の中空部には液体が封入され、ループ状、あるいは取外し自在の連結部を介してループ状になっている。
【０００８】
図１は中空管状物の断面形状の例であり、図２は本考案の実施の形態を示すネックストラップの斜視図である。以下、図を参照しつつ本考案を説明する。
【０００９】
本考案における中空管状物２は、軟質プラスチックで成形される。軟質プラスチック、常温において柔軟性のあるプラスチック材料であればよく、ポリエチレン、ポリプロピレン、塩化ビニル、ポリウレタン、エチレン−酢酸ビニル共重合体などがある。もちろん、可塑剤を加えて軟質化したものでもよい。また、この軟質プラスチックは、後述するように中空部３を作りそこに液体６を入れ、さらに液体６を着色したり、液体６に固形物７を浮遊させて装飾するので、透明性のよいものがよい。
【００１０】
中空部３は、簡単にはチューブ状成形物を用いた図１（ａ）の断面形状のものである。この他、軟質プラスチックの帯状シートから長さ方向の端部同士を接着した図１（ｂ）の断面形状のもの、帯状シートを二枚合わせ、長さ方向の端部同士を接着した図１（ｃ）の断面形状のものなどなどが可能であり、中空管状物２の断面形状を変えることによりそれぞれ趣の異なったネックストラップとすることができる。中空管状物２の断面の大きさは、ネックストラップ１の使用目的、好みなどにより決まるが、中空部の概略外径は３〜８ｍｍ程度であり、図１（ｂ）（ｃ）にある接着部４は、一方側で幅は２〜５ｍｍ程度である。
【００１１】
ネックストラップ１は、取外し自在な連結部８、８’を有してループ状とするが、ループ部５が頭を通して首に入れられる充分な大きさがあれば連結部８，８’はなくともよい。図２は連結部８、８’を設けて、使用時にループ状に結合されるようにした例を示した。連結部８、８’の結合形態は、本考案は何ら限定するものではなく、両端部が取り外し自由に結合できるものであればよい。例えば、一方に突起物のある嵌合具、他方にはその突起が挿入される孔のある被嵌合具とし、突起物が挿入されたとき孔の側壁に係合し、バネあるいはプラスチックの弾性により抜け止めできるようにしたものである。
【００１２】
中空部３に封入される液体６は、常温で液体であれば何でもよいが、破壊して液体が流れ出たとき、あるいは廃棄したときに毒性、傷害、引火などの危害が及ぼさないものがよい。特に、本考案のネックストラップ１が、一般家庭、事務所などにおいて使用されることを考慮すれば万一液体６が洩れたとき人の口に入っても毒性、危険性がないものとしておく必要があり、この観点からプロピレングリコール、グリセリン、水などが好ましく選ばれ、これらを単独、あるいは２種以上混合して用いる。また、後述するように液体には固形物７を浮遊させることがあり、液体６は適度の粘性をもつことが望まれることがある。液体６の粘度を上げるために、ポリプロピレングリコールなどのポリマー、あるいは天然の多糖類を溶解させることもできる。
【００１３】
液体６を中空部３に封入するに際し、中空部３を完全に満たしてもよいが、一部に空気を残すようにすると、空気が泡状となり装飾の一部になるとともに、ネックストラップ１を動かしたときに液体６の動きが円滑となり、さらに後述の固形物７を浮遊させた場合には固形物７の動きが大きくなり好ましい。
【００１４】
また、液体６は、色素を加えて着色させて装飾品としての価値を高めることができる。この際の色素は、万一人の口に入ることがあってもその毒性が及ばないこととから食品添加物として認められている色素が特に好ましく選ばれる。
【００１５】
液体６には、さらに固形物７を浮遊させてもよい。固形物７は、ラメ、砂、貝殻、珊瑚、プラスチック成形物の小片など任意に選ばれ、２種以上混合使用してもよい。ラメは、金属の小片、特に鱗片状小片で、きらきらした光輝性を与えるもので、貴金属等の微粉、即ち展延により得られた展延金属箔の破砕片、金属蒸着時の凝集微細片、金属箔の破砕片、金属蒸着したフイルムの裁断グリッターなどである。砂、貝殻、珊瑚は、自然に存在するもので、例えば、海岸の白砂、貝殻、珊瑚の小片、珊瑚の破片が経年して変形したといわれる星砂などがある。プラスチック成形物は、プラスチックを任意に裁断したものであり、プラスチックシート上に魚、たこ、貝、花、星などの図案を印刷し、その形状に裁断したもの、魚、たこ、貝、花、星などの形状を立体的に圧縮成形しその表面に図案を施したものなどである。ここで、固形物７は、本考案における中空部の液体６に浮遊させるものであるから、液体６に浮遊してネックストラップ１を押したときなどに液体６と一緒にある程度動く程度の大きさにする。また、固形物７の着色を、蛍光顔料や蓄光顔料を用いて行い暗いところでも光を発するようにする、あるいは温度により色の変わる顔料を用いて変化を楽しむ、なども可能である。
【００１６】
保持手段９は、ＩＤカード、パスカード、携帯電話、鍵、マスコットなど各種の小物１０をネックストラップ１に結合させるものであり、ループ部５の一部に別の小さなループを作りそこに開閉自在な輪環などを介して取付ける、あるいはループ部５に金属、プラスチックなどでできた輪環を固定させる。
【００１７】
【考案の効果】
本考案は、上述のとおりに構成されているので、多様な変形が可能であり、気楽に、遊びの感覚で身に付けることができ、安価なネックストラップとして使用できる。特に、中空部にプロピレングリコール、グリセリン、水などの液体を使用することで、万一洩れた場合にも毒性、傷害、引火などを心配することがない。液体は、色素、特に食品添加物として認められた色素で着色し、液体に固形物を浮遊させ、中空管状物の断面形状を変えることで液体封入部の形態が変わり、見た目にきれいに、また多様性を図ることができる。
【図面の簡単な説明】
【図１】中空管状物の断面図であり、（ａ）はチューブを用いたときの断面、（ｂ）は帯状シートの長さ方向の端部同士を接着して形成させたときの断面、（ｃ）は帯状シートを二枚合わせ、長さ方向の端部同士を接着して形成させたときの断面である。
【図２】本考案のネックストラップの一例を示す斜視図である。
【符号の説明】
１：　ネックストラップ
２：　中空管状物
３：　中空部
４：　接着部
５：　ループ部
６：　（中空部に封入された）液体
７：　固形物
８、８’：　取り外し自由の連結部
９：　（小物を保持するための）保持手段
１０：　（吊下げられる）小物
【図１】
0003097733.tif 000003
【図２】
0003097733.tif 000004